(57)【要約】【課題】  灰皿本体をカップホルダーに正しい向きに安定して収容させることができるようにする。【解決手段】  カップホルダー１の内部に収容可能な灰皿本体２１を設け、灰皿本体２１の底面下部に、カップホルダー１の底部に形成した回止用凹部１６へ嵌合可能な回止用凸部２６を設けると共に、回止用凸部２６が、カップホルダー１の底部に設けた照明部１１の光を、灰皿本体２１の内部へ導光可能な導光体で構成されるようにしている。【選択図】    図１
2005081888.tif 000002
【特許請求の範囲】
【請求項１】
カップホルダーの内部に収容可能な灰皿本体を設け、
該灰皿本体の底面下部に、カップホルダーの底部に形成した回止用凹部へ嵌合可能な回止用凸部を設けると共に、
該回止用凸部が、カップホルダーの底部に設けた照明部の光を、灰皿本体の内部へ導光可能な導光体で構成されたことを特徴とする車両用移動式灰皿。
【請求項２】
前記導光体が、灰皿本体の底面下部に対して、はめ込み式に取付可能とされたことを特徴とする請求項１記載の車両用移動式灰皿。
【発明の詳細な説明】
【技術分野】
【０００１】
この発明は、車両用移動式灰皿に関するものである。
【背景技術】
【０００２】
自動車などの車両では、通常、車室内に灰皿が設けられている。しかし、近年の喫煙事情の多様化に対応して、灰皿が設定されない車両も増加しつつある。このような灰皿の設定のない車両に対して、灰皿を要望する場合、カップホルダーに収容可能な移動式灰皿を付属させることが考えられている（例えば、特許文献１参照）。
【特許文献１】実開平０６−７５８７７号公報
【発明の開示】
【発明が解決しようとする課題】
【０００３】
しかしながら、上記特許文献１に記載された車両用移動式灰皿では、カップホルダーから別のカップホルダーへと移動して使用できる反面、移動時などに中身が落ちないようにするための蓋を設ける必要などが生じ、蓋を開いた時に使用者が移動式灰皿にアクセスできるようにするために、カップホルダーへ収容した際の移動式灰皿の向きを規制する必要があるという問題があった。
【課題を解決するための手段】
【０００４】
上記課題を解決するために、請求項１に記載された発明では、カップホルダーの内部に収容可能な灰皿本体を設け、該灰皿本体の底面下部に、カップホルダーの底部に形成した回止用凹部へ嵌合可能な回止用凸部を設けると共に、該回止用凸部が、カップホルダーの底部に設けた照明部の光を、灰皿本体の内部へ導光可能な導光体で構成された車両用移動式灰皿を特徴としている。
【０００５】
請求項２に記載された発明では、前記導光体が、灰皿本体の底面下部に対して、はめ込み式に取付可能とされた請求項１記載の車両用移動式灰皿を特徴としている。
【発明の効果】
【０００６】
請求項１の発明によれば、カップホルダー底部の回止用凹部へ嵌合可能な回止用凸部を灰皿本体の底部に形成することにより、カップホルダーへ収容した灰皿本体の回り止めを行わせることができ、灰皿本体を正しい向きに安定して保持させることができる。よって、蓋を開いた時に、使用者は移動式灰皿に容易にアクセスすることができ、走行振動などで灰皿本体の向きが変ることが防止される。また、回止用凸部が、カップホルダーの底部に設けた照明部からの光を灰皿本体の内部へ導光可能な導光体とされていることにより、カップホルダーに対する照明を利用して灰皿本体の照明を行うことが可能となる。よって、灰皿本体に専用の照明機構を設ける必要がなくなり、機能向上とコストダウンの両立を図ることが可能となる。更に、上記の回止用凸部を灰皿本体の底部に形成したことにより、灰皿本体の容量を犠牲にすることなく、上記の各機能を得ることができる。
【０００７】
請求項２の発明によれば、導光体を、灰皿本体の底面下部に対して、はめ込み式に取付可能としたことにより、回り止め機能と照明機能を有する灰皿本体を簡単に製造することができる。
【発明を実施するための最良の形態】
【０００８】
灰皿本体をカップホルダーに正しい向きに安定して収容させることができるようにするという目的を、カップホルダーの底部に形成した回止用凹部へ嵌合可能な回止用凸部を灰皿本体の底面下部に設ける、という手段で実現した。
【実施例】
【０００９】
以下、本発明を具体化した実施例について、図示例と共に説明する。
【００１０】
図１〜図５は、この発明の実施例を示すものである。
【００１１】
まず、構成を説明すると、自動車などの車両の車室内には、カップホルダー１が設けられている。このカップホルダー１には、各種のものが存在するが、センターコンソール部分などに取付けられるものを例として説明する。上記のカップホルダー１は、カップホルダー本体部２と、このカップホルダー本体部２にヒンジ部３を介して開閉可能に設けられたリッド部４とを備えている。カップホルダー本体部２は、２個の飲料容器を同時に収容可能な所要容量を有する容器収容凹部５を備えている。この容器収容凹部５は、例えば、平面視略瓢箪型を呈している。そして、この容器収容凹部５は、側壁部分に、飲料容器との間隙を調整しつつ飲料容器の側部を押さえるための可動フラップ６を備えている。この可動フラップ６は上下回動可能に軸支されると共に、図示しない弾性体によって上方向へ付勢されている。また、上記リッド部４は、図示しない弾性体によって開方向へ付勢されると共に、図示しないダンパ装置によって弾性体の弾性力が減衰されるように構成されている。
【００１２】
また、容器収容凹部５の底部には、容器収容凹部５内を照明する照明部１１が設けられている。この照明部１１は、容器収容凹部５の底部に形成された開口部１２と、容器収容凹部５の底部下面に設けられた光源１３と、この光源１３からの光を開口部１２へと導く導光体１４とを備えている。この導光体１４は、透明樹脂で形成する。
【００１３】
更に、容器収容凹部５の底部には、回止用凹部１６が形成されている。この回止用凹部１６は、平面視略瓢箪型の容器収容凹部５における２つの膨らみ部分の略中心部にそれぞれ１つずつ形成されている。即ち、各飲料容器の底部に相当する位置にそれぞれ設けられている。各回止用凹部１６は、平面視略非円形状を呈している。この実施例では、回止用凹部１６は、特に、一辺が曲線となった四辺形状を呈している。なお、回止用凹部１６の平面形状は、これに限るものではなく、実質的に、回り止めおよび位置決めができるようなものであれば良い。そして、照明部１１は、各回止用凹部１６の近傍に対してそれぞれ設けられている。
【００１４】
この実施例のものでは、カップホルダー１の内部に収容可能な移動式灰皿２０の灰皿本体２１を設ける。灰皿本体２１は、耐熱性樹脂で形成する。例えば、灰皿本体２１は耐熱性を有するフェノール樹脂などで構成する。この灰皿本体２１は、略有底円筒状を呈している。そして、灰皿本体２１の上部開口には、ヒンジ部２２を有して蓋体２３が取付けられている。灰皿本体２１と蓋体２３との間には、蓋体２３を開状態および閉状態に付勢する弾性体２４が介装されている。また、灰皿本体２１のヒンジ部２２とは反対側の上部開口縁部近傍には、金属製のモミ消し部２５が設けられている。
【００１５】
上記回止用凹部１６へ嵌合可能な回止用凸部２６を、灰皿本体２１の底面下部に設ける。この回止用凸部２６は、回止用凹部１６と略同形状とする。そして、ヒンジ部２２が、平面視略瓢箪型の容器収容凹部５におけるくびれ部分の側に略位置するように、回止用凸部２６と回止用凹部１６とが設定されている。
【００１６】
この回止用凸部２６を、カップホルダー１の底部に設けた照明部１１の光を、灰皿本体２１の内部へ導光可能な導光体２８で構成する。この導光体２８は透明樹脂で形成する。そのために、灰皿本体２１の内部に照明窓２９を形成する。この照明窓２９は、例えば、灰皿本体２１の側壁におけるモミ消し部２５の下部に形成される。一方、カップホルダー１底部の回止用凹部１６に上記導光体１４からの光を出射する出射窓３０を形成する。そして、導光体２８は、少なくとも出射窓３０と照明窓２９との間に亘るように延在させる。
【００１７】
更に、導光体２８を、灰皿本体２１の底面下部に対して、はめ込み式に取付可能なものとする。そのために、例えば、導光体２８をカップ状として灰皿本体２１の底部に嵌着し得るようにする。より具体的には、導光体２８を略有底短筒形状とし、その周壁部分を、灰皿本体２１の側壁底部に形成した周溝３３に嵌着可能とすると共に、その底面を、灰皿本体２１の底面下部に密接可能とする。なお、灰皿本体２１の底面は、回止用凸部２６の一部を構成する凸部３４を有していても、平坦としてあっても良い。更に、必要に応じて、導光体の周壁外面または周溝３３の内面などに、微細な凹凸による摩擦部３５を抜け止め用として形成する。
【００１８】
なお、導光体１４には、光源１３の光を、開口部１２へ向けて反射する反射面、および、出射窓３０へ向けて反射する反射面を適宜形成する。同様に、導光体２８には、出射窓３０から照明窓２９へ向けて光を反射する反射面を適宜形成する。
【００１９】
次に、この実施例の作用について説明する。
【００２０】
カップホルダー１はリッド部４を開くことにより、容器収容凹部５に最大で２個の飲料容器を収容することができる。そして、夜間点灯時などに光源１３が点灯されると、導光体１４を介して容器収容凹部５底部に設けた開口部１２が照明されるようになっている。これにより、カップホルダー１の空いた容器収容凹部５の位置が確認できるようになっている。また、優れた照明効果をも得ることができる。
【００２１】
このようなカップホルダー１に対し、移動式灰皿２０は、カップホルダー１の容器収容凹部５の内部に収容可能とされている。よって、カップホルダー１から別のカップホルダー１へと移動して使用することができる。
【００２２】
この実施例の移動式灰皿２０では、カップホルダー１底部の回止用凹部１６へ嵌合可能な回止用凸部２６を灰皿本体２１の底部に形成することにより、カップホルダー１へ収容した灰皿本体２１の回り止めを行わせることができ、灰皿本体２１を正しい向きに安定して保持させることができる。よって、蓋体２３を開いた時に、使用者は移動式灰皿２０に容易にアクセスすることができ、また、走行振動などで灰皿本体２１の向きが変ることが防止される。
【００２３】
また、回止用凸部２６が、カップホルダー１の底部に設けた照明部１１からの光を灰皿本体２１の内部へ導光可能な導光体２８とされていることにより、カップホルダー１に対する照明を利用して灰皿本体２１の照明を行うことが可能となる。よって、灰皿本体２１に専用の照明機構を設ける必要がなくなり、機能向上とコストダウンの両立を図ることが可能となる。
【００２４】
更に、上記の回止用凸部２６を灰皿本体２１の底部に形成したことにより、灰皿本体２１の容量を犠牲にすることなく、上記の各機能を得ることができる。
【００２５】
加えて、導光体２８を、灰皿本体２１の底面下部に対して、はめ込み式に取付可能としたことにより、回り止め機能と照明機能を有する灰皿本体２１を簡単に製造することができる。
【図面の簡単な説明】
【００２６】
【図１】本発明の実施例を説明する空のカップホルダーの斜視図である。
【図２】図１の平面図である。
【図３】２個の飲料容器を収容した図１のカップホルダーの斜視図である。
【図４】１個の飲料容器と移動式灰皿とを収容した図１のカップホルダーの斜視図である。
【図５】図４の移動式灰皿部分の側方断面図である。
【符号の説明】
【００２７】
１    カップホルダー
１１  照明部
１６  回止用凹部
２１  灰皿本体
２０  移動式灰皿
２６  回止用凸部
２８  導光体
【図１】
2005081888.tif 000003
【図２】
2005081888.tif 000004
【図３】
2005081888.tif 000005
【図４】
2005081888.tif 000006
【図５】
2005081888.tif 000007